(57)【特許請求の範囲】
【請求項１】
回動軸を有する回動枠体，該回動枠体により互いに絶縁されて保持され該回動枠体の回動軸から反対方向に放射状に延出する各々の極の可動接点部材，回動枠体の転動により前記可動接点部材に接離する２つの固定接点部材，前記回動枠体を接点入状態または接点切状態に保持するとともに状態を切替駆動する電磁駆動手段，接点入保持あるいは接点切保持の状態で電磁駆動手段の操作電流の方向を選択的に制限する電流方向制限手段を含み，前記可動接点部材のうち一方の可動接点部材と，この一方の可動接点部材と対向して配置される固定接点部材とに接続される第一の極の端子が器体の一端側に設けられ，他方の可動接点部材と，この他方の可動接点部材と対向して配置される固定接点部材とに接続される第二の極の端子が器体の他端側に設けられて構成されたことを特徴とする２極リモコンリレー。
【請求項２】
前記電磁駆動手段は２位置保持の有極電磁石であることを特徴とする請求項１の２極リモコンリレー。
【請求項３】
前記電磁駆動手段は減速手段を有する直流モーターであることを特徴とする請求項１の２極リモコンリレー。
【発明の詳細な説明】
【０００１】
【発明の属する技術分野】
本件の発明は，外部制御信号により接点を入切するリモコンリレーの小型化に関する。
【０００２】
【従来の技術】
従来，前述のリモコンリレーは図４に示すように，１組の可動接点１と固定接点２からなる接点装置と，可動接点を入または切状態に転動保持させる電磁駆動装置３と接点の入切保持状態に応じ電磁駆動装置の駆動方向を電流方向で選択制限するための電流方向制御手段４を備え，それに主回路の端子５，６や制御端子７，８を加えて一つのハウジング９内に収納した１極のものが一般的であった。図において１０はリモコンリレーの外部に設置されるリモコントランス，１１はリモコンリレーを制御するためのスイッチで外部制御回路を構成する。
【０００３】
図４において電磁駆動装置３はそのコイル部３１が永久磁石装置３２に対し相対的に図の右方向で保持されており，また電流方向制限手段４はコイル部３１の位置に応じてc側の接点が開いていて，d側の接点は閉じている。したがってコイル部３１にはd側のダイオードで制限される極性にしか電流が流れない。このときスイッチ１１はaにもbにもつながっておらず，コイル部３１は図の位置に電磁石３２で保持されており接点装置は切状態で保持されている。
【０００４】
次に，主回路接点装置を入にするには，スイッチ１１をa側に接触させる。このときスイッチ１１のａ側のダイオードと電流方向制限手段４のｄ側のダイオードの方向は一致するので，コイル部３１の巻き方向をうまく選んでおけば，コイル部３１は図の左方向に移動し，可動接点１は固定接点２に接触する。スイッチ１１を開放してもコイル部３１は永久磁石部３２により位置を保持し接点は入に保持されるとともに電流方向制限手段４はc側の接点が閉じてd側の接点が開いた状態で保持されるものである。なお，先の説明において前述のスイッチ１１を誤ってb側に操作しても電流方向制御手段４のｄ側のダイオード方向と逆になるので，コイル部３１は動かない。
【０００５】
以上において，ハウジング９の厚みは，接点装置１，２および電磁駆動装置３の厚みに支配されており且つ，接点装置１，２と電磁駆動装置３がほぼ同じ厚みになるので，同一のハウジング９内には１極分の接点装置を内装するのがやっとであった。
【０００６】
したがって，たとえば制御回路が単相３線式２００Ｖ回路に使用する場合などで２極分の接点が必要になった場合は，１極のリモコンリレーをふたつ並べて取りつける必要があり寸法が大きくなる，また電磁駆動装置３が夫々の極の接点装置に対して必要になるので部材の使用効率が悪いという欠点があった。
【０００７】
本件の発明は，上述のリモコンリレーにおいて，１極のサイズで２極のリモコンリレーを提供し，もって小型化しまた部材の使用効率のよい２極のリモコンリレーを提供しようとするものである。
【０００８】
【課題を解決するための手段】
そこで本件の発明は，回動軸を有する回動枠体，該回動枠体により互いに絶縁されて保持され該回動枠体の回動軸から反対方向に放射状に延出する各々の極の可動接点部材，回動枠体の転動により前記可動接点部材に接離する２つの固定接点部材，前記回動枠体を接点入状態または接点切状態に保持するとともに状態を切替駆動する電磁駆動手段，接点入保持あるいは接点切保持の状態で電磁駆動手段の操作電流の方向を選択的に制限する電流方向制限手段を含み，前記可動接点部材のうち一方の可動接点部材と，この一方の可動接点部材と対向して配置される固定接点部材とに接続される第一の極の端子が器体の一端側に設けられ，他方の可動接点部材と，この他方の可動接点部材と対向して配置される固定接点部材とに接続される第二の極の端子が器体の他端側に設けられて構成されたことを特徴とする２極リモコンリレーを提供したものである。
【０００９】
それにより，回動枠体から２つの可動接点部材を互い違いに放射状に延出するように保持したので，可動接点部材一つ分の厚みで２極の接点装置を同一ケース内に収納でき，１極の厚みで２極のリモコンリレーを構成できる。
【００１０】
請求項２では，前記電磁駆動手段を２位置保持の有極電磁石で構成したものである。それにより入から切またはその逆方向の動作速度の速い２極リモコンリレーを構成できる。
【００１１】
請求項３では，前記電磁駆動手段を減速手段を有する直流モーターで構成したものである。それにより，小型の直流モーターを使用しながら，接点の接触圧力を充分にとれる２極リモコンリレーを構成することができる。
【００１２】
【発明の実施の形態】
以下に本件発明について図面を用いて詳細に説明する。図１は図４に相当する本件発明の概念図である。図において，電磁駆動手段３，電流制限手段４，リモコントランス１０，スイッチ１１は図４と同一のものである。１６は軸１６１を中心に転動する回動枠体で電磁駆動手段３のコイル部３１の動きに連動して反時計回り，または時計回りに回動する。回転枠体１６には２つの可動接点部材１８，１９が回動軸１６１を中心にしてお互いに絶縁されるとともに互い違いに放射状に延出して保持されている。１７と２０は固定接点部材で１７と１８で１組の接点装置，１９と２０でまた１組の接点装置を構成し，１２と１３は１７と１８で構成される接点装置に連なる主回路接続端子，１４と１５は１９と２０で構成される接点装置に連なる主回路接続端子である。
【００１３】
図１は，固定接点部材１７と可動接点部材１８，また固定接点部材２０と可動接点部材１９が切の状態を示しており，１１のスイッチをa側に操作することで，コイル部材３１が図の上方に移動したとき，回動部材１６が図の反時計回りに回動して１７と１８および１９と２０が夫々接することで１２と１３および１４と１５の主回路端子間が入状態になる。
【００１４】
スイッチ１１の操作と電流方向制限手段４および電磁駆動手段３の動作の関連は図４で説明したものと同じであるので説明を省略する。
【００１５】
図２は，図１をより現実的に具現化した場合の実施例であり，符号は同一のものを示している。図２において主回路端子１２〜１５，制御端子７〜８，固定接点部材１７と２０，永久磁石部３２はハウジング９に固定されている。また回動軸１６１もハウジング９に軸支されている。コイル部３１は回動枠体１６から一体に延出したＹ字状の腕部の開腕部に支えられて固定されており，コイル部３１が永久磁石部３２に対して図の左右に転動することで，回動枠体１６が反時計方向と時計方向に転動し接点１７と１８，１９と２０が入切するよう構成されている。Ｙ字状の両先端部は突起状となっていて，それぞれ電流方向制限手段の接点ｃとｄに位置し主回路接点の入切位置に応じて接点ｃまたはｄを開放するように構成されている。図２の実施例では電磁駆動装置に有極電磁石を用いているので，入と切の状態を瞬時に切りかえることができる。
【００１６】
また図３は電磁駆動装置１００に直流モーター１０１を用いた場合のモーターと回動枠体の周辺部のみを説明した図である。図において，１０２はギヤを用いた減速手段であり，モーターの回転はウオームギヤ装置１０３を通じて回動枠体２００を回動する。電流方向制限手段のｃおよびｄのスイッチは回動枠体２００の転動に連動する切替部材３００が図の左右方向に移動することで操作されるようになっている。図３のようなモーターを電磁駆動装置に使用した場合，入と切の状態切替は図２のものに比べてやや時間がかかるが，減速手段の作用により回動枠体の操作力を強くでき，もって接点１７と１８，１９と２０の接触圧を強くできる。
【００１７】
【発明の効果】
以上のように構成された２極リモコンリレーは，接点装置１極分の厚みに２極分の接点装置を組み込むことができ厚みの薄い小型の２極リモコンリレーを構成できるという効果がある。
【図面の簡単な説明】
【図１】本件発明による２極リモコンリレーの概念図
【図２】本件発明による第一の実施態様の図
【図３】本件発明による第二の実施態様の図
【図４】従来の１極リモコンリレーの概念図
【符号の説明】
３・・電磁駆動装置
４・・電流方向制限手段
１６・・回動枠体
１６１・・回動軸
１７，２０・・固定接点部材
１８，１９・・可動接点部材
【図１】
0004142320.tif 000002
【図２】
0004142320.tif 000003
【図３】
0004142320.tif 000004
【図４】
0004142320.tif 000005